(57)【要約】【課題】据付作業を容易にしたエアコン置台用ベースフレームにおけるエアコンの防振取付構造およびこれを適用した壁面置台を提供すること。【解決手段】ベースフレーム３は、上壁３１、側壁３２及び下壁３３を備えた筒状部材に形成されている。ベースフレーム３の上壁３１に防振材５を取り付ける。防振材５は、防振絶縁本体５１と、装着用フランジ５２と、防振絶縁本体５１と装着用フランジ５２とを接続する首部５３とを有する。防振材５には、据付ボルト（トラスボルト５４）が挿通される。上壁３１には、防振材５を取り付けるために、フランジ挿通孔４１及びこのフランジ挿通孔４１に連続して取付長孔４２、４３が設けられている。ベースフレーム３の下壁３３には、取付長孔４２、４３に対向する位置に据付ボルト５４を下方から締結できるように、工具挿通用のサービス孔４４、４５が設けられている。【選択図】図２
2007120835.tif 000002
【特許請求の範囲】
【請求項１】
ベースフレームの上壁において、防振材を介してエアコンの本体脚を固定するエアコン置台用ベースフレームにおけるエアコンの防振取付構造であって、
前記防振材は、ベースフレームとエアコン室外機との間に配置される防振絶縁本体と、防振絶縁本体との間にベースフレームの上壁を挟み込んで装着するための装着用フランジと、防振絶縁本体と装着用フランジとを接続するとともに、取付時において上壁を貫通するように配置される首部とを有し、さらに、防振絶縁本体から首部を経て装着用フランジに通ずる据付ボルトを嵌挿させるためのボルト孔を有し、
前記ベースフレームは、上壁、下壁、側壁を備えた筒状部材に形成され、
前記各ベースフレームの上壁には、防振材のフランジ挿通孔と、このフランジ挿通孔に連続して前記首部を貫通させる取付長孔が設けられ、
前記ベースフレームの下壁には、前記取付長孔に対向する位置にボルト締結用の工具を挿通させるためのサービス孔が設けられている
ことを特徴とするエアコン置台用ベースフレームにおけるエアコンの防振取付構造。
【請求項２】
前記エアコンの本体脚は、上壁の下方から防振材のボルト孔に挿通されて防振材の上方にねじ部を突出するトラスボルトと、上壁の上方からこのトラスボルトに締結されるナットとにより、防振材を介してベースフレームに固定され、前記ベースフレームの下壁に形成されるサービス孔の幅寸法はプラスねじ用のドライバーの先端軸部を挿通できる程度の大きさに形成されていることを特徴とする請求項１に記載のエアコン置台用ベースフレームにおけるエアコンの防振取付構造。
【請求項３】
前記首部は、平断面の一方向においては、前記上壁の取付長孔の幅寸法と同一又はそれより小さく形成され、平断面の他方向においては、前記上壁の取付長孔の幅寸法より大きく形成されていることを特徴とする請求項１又は２に記載のエアコン置台用ベースフレームにおけるエアコンの防振取付構造。
【請求項４】
壁面に沿って水平方向に壁面に取り付けられる横フレームと、横フレームに連結されて壁面に沿って高さ方向に配置される一対の縦フレームと、縦フレームに連結されてこの縦フレームから前方に向かって配置される一対のベースフレームとを有し、
前記一対のベースフレームの前後２箇所において、請求項１〜３の何れか１項に記載のエアコンの防振取付構造が形成されるように構成されていることを特徴とするエアコン室外機の壁面置台。
【請求項５】
前記ベースフレームの上壁に形成される前後の取付長孔は、縦フレーム側の取付長孔が前方側の取付長孔より長く形成され、この取付長孔に対向する前記下壁に形成される工具を挿通させるためのサービス孔は、複数個に分割されて形成されていることを特徴とする請求項３又は４に記載のエアコン室外機の壁面置台。
【発明の詳細な説明】
【技術分野】
【０００１】
本発明は、エアコン置台用ベースフレームにおけるエアコンの防振取付構造およびこれを用いた壁面置台に関し、特に、防振材を取り付ける据付ボルトの締結スペースが小さい場所に適した防振材取付構造に関する。
【背景技術】
【０００２】
従来からエアコン室外機を据え付けるために置台が用いられている。また、置台は、最近では軽量で作業性がよく、見栄えもよくなることからアルミニウム系の軽量材料が用いられるようになってきている。この場合の課題は、強度を低下させずに材料使用量を少なくすることである。
【０００３】
このような置台の例として例えば非特許文献１のようなエアコン室外機の壁面置台が提案されている。これを添付図面に基づき説明する。このアルミニウム製壁面置台は、図１３の外観斜視図に示すように、壁面に沿って水平に配置される横フレーム１０１と、横フレーム１０１に連結されて壁面に沿って高さ方向に配置される一対の縦フレーム１０２と、縦フレーム１０２に連結されてこの縦フレーム１０２から前方に向かって配置される一対のベースフレーム１０３とを有している。ベースフレーム１０３は、図１４及び図１５に示すように、前後方向を長手方向とするアルミニウムの押出型材からなるものであって、上壁１０４、側壁１０５、内部仕切壁１０６、下壁１０７とを備えている。そして、上壁１０４には、エアコン室外機１０８（図１７参照）を支持する防振材１１０を取り付けるために、幅方向の中央部を長手方向に延びるスリット１０９が形成されている。また、ベースフレーム１０３は、その強度を向上させるために、内部仕切壁１０６と下壁１０７とで筒状に形成されている。
【０００４】
この従来のエアコン室外機の壁面置台における防振材取付構造は、図１５のように構成されている。なお、図１５は防振材周りの断面図である。この図に示すように、上壁１０４のスリット１０９に防振材１１０が取り付けられている。そして、この防振材１１０の上面にエアコン室外機１０８の本体脚１２１が載せられ、防振材１１０を介して本体脚１２１をベースフレーム１０３に固定するように構成されている。
【０００５】
防振材１１０は、樹脂又はゴムから形成され、防振絶縁本体１１１と、この防振絶縁本体１１１との間にベースフレーム１０３の上壁１０４を挟み込んで装着するための装着用フランジ１１２と、防振絶縁本体１１１と装着用フランジ１１２とを接続するとともに、取付時において上壁１０４を貫通するように配置される首部１１３とを有している。また、防振材１１０は、防振絶縁本体１１１から首部１１３を経て装着用フランジ１１２に通ずる据付ボルト１１５を挿通させるためのボルト孔１１４を有している。この防振材１１０は、装着用フランジ１１２側から防振絶縁本体１１１側に向けて据付ボルト１１５としてのトラスボルトを挿通するとともに、首部１１３がスリット１０９の位置にある状態で、上壁１０４のスリット１０９の端部から所定位置に移動される。次いで、防振材１１０を所定位置に移動させた後、防振材１１０から上方に突出している据付ボルト１１５のねじ部を、エアコン室外機１０８の本体脚１２１のボルト穴１２２に挿通させる。さらに続いて、図１６に示すようにボックスレンチ１３０等の工具を使用して、上方からナット１１６を締結するようにして、エアコン室外機１０８をベースフレーム１０３上に固定していた。
【０００６】
なお、上記と類似のエアコンの防振取付構造は、特許文献１にも記載されている。
【非特許文献１】オーケースカイキーパ壁面置台  Ｋ−ＡＫ５  据付説明書  オーケー器材株式会社  ２００４年
【特許文献１】特開２００５−１４７５５９
【発明の開示】
【発明が解決しようとする課題】
【０００７】
しかしながら、このような従来のエアコン室外機用の壁面置台においては、防振材１１０を取り付けるボルトナットの締結構造は、ベースフレーム１０３の上方でのみ行えるようになっていた。このため、図１７に示すように、壁面に取り付けられた壁面置台のベースフレーム１０３にエアコン室外機１０８を取り付ける場合に問題があった。すなわち、エアコン室外機１０８の壁面側の本体脚１２１でのボルトナットの締結作業が、エアコン室外機１０８と縦フレーム１０２との間の狭い空間で行わなければならないため、ボックスレンチ１３０による締結作業が難しいという問題があった。
【０００８】
本発明は、上記従来技術における問題点に鑑み成されたものであり、据付作業を容易にしたエアコン置台用ベースフレームにおけるエアコンの防振取付構造およびこの防振取付構造を適用した壁面置台を提供することにある。
【課題を解決するための手段】
【０００９】
本発明に係るエアコン置台用ベースフレームにおけるエアコンの防振取付構造は、ベースフレームの上壁において、防振材を介してエアコンの本体脚を固定するエアコン置台用ベースフレームにおけるエアコンの防振取付構造であって、前記防振材は、フレームと室外機との間に配置される防振絶縁本体と、防振絶縁本体との間にベースフレームの上壁を挟み込んで装着するための装着用フランジと、防振絶縁本体と装着用フランジとを接続するとともに、取付時において上壁を貫通するように配置される首部とを有し、さらに、防振絶縁本体から首部を経て装着用フランジに通ずる据付ボルトを嵌挿させるためのボルト孔を有し、前記ベースフレームは、上壁、側壁及び下壁を備えた筒状部材に形成され、前記各ベースフレームの上壁には、防振材のフランジ挿通孔と、このフランジ挿通孔に連続して前記首部を貫通させる取付長孔が設けられ、前記ベースフレームの下壁には、前記取付長孔に対向する位置に前記据付ボルト締結用の工具を挿通させるためのサービス孔が設けられていることを特徴とする。
【００１０】
このように構成された本発明に係るエアコン置台用ベースフレームにおけるエアコンの防振取付構造によれば、フランジ挿通孔から装着用フランジを上壁の下面に接するように挿入して防振材を取り付けることができる。また、取付長孔に防振材の首部をスライドさせて所定位置に移動させることにより、防振材を所定位置に容易に設置することができる。また、本発明では、上壁の長手方向全長に延びるスリットを設ける必要がないので、この上壁、側壁、及び下壁によりベースフレームを筒状体とすることができる。したがって、材料費を節約しながらベースフレームの強度を保持することができる。また、ベースフレームの下壁には、取付長孔に対向する位置に前記ボルト締結用の工具を挿通させるためのサービス孔が設けられているので、サービス孔からボルト締結用の工具の先部を挿通させることができる。また、この工具により、エアコン室外機の本体脚を固定する据付ボルトにナットを締結することができる。したがって、エアコン室外機の本体脚を固定する据付ボルトにナットを締結する作業は、従来と同様にベースフレームの上方から行うことができる他に、下方からも行うことができるので、作業場の環境に応じてやり易い方向から作業を行うことができる。
【００１１】
また、前記エアコンの本体脚は、上壁の下方から防振材のボルト孔に挿通されて防振材の上方にねじ部を突出するトラスボルトと、上壁の上方からこのトラスボルトに締結されるナットとにより、防振材を介してベースフレームに固定され、前記ベースフレームの下壁に形成されるサービス孔の幅寸法はプラスねじ用のドライバーの先端軸部を挿通できる程度の大きさに形成されているものとしてもよい。このようにすれば、下壁のサービス孔からプラスねじ用のドライバーを挿入することによりトラスボルトを閉め付けることができる。また、ベースフレームの下壁に設けるサービス孔の幅寸法は、プラスねじ用のドライバーの先端軸部を挿通できる程度の大きさとすればよく、極力小さくすることができ。これにより、サービス孔を設けることによる下壁の強度の低下を抑制することができる。
【００１２】
また、前記首部は、水平面における一方向においては、前記上壁の取付長孔の幅寸法と同一又はそれより小さい径部に形成され、この一方向と異なる方向においては、前記上壁の取付長孔の幅寸法より大きく形成されているものとしてよい。このようにすれば、首部の短径を取付長孔の幅方向に合わせることにより、防振材を取付長孔における所定位置に容易に移動させることができる。また、首部の長径を取付長孔の幅方向となるように防振材を回転させることにより、防振材を所定位置に固定することができる。また、据付ボルト締結時においては、ボルトが防振材のボルト孔に嵌挿されていることと相俟って、ナットを締結する際にボルトの空回りを防止することができる。したがって、据付ボルトの締結作業は、ボルトを空回りさせないで締結することができ、作業性が向上する。
【００１３】
また、本発明におけるエアコン室外機の壁面置台は、壁面に沿って水平方向に壁面に取り付けられる横フレームと、横フレームに連結されて壁面に沿って高さ方向に配置される一対の縦フレームと、縦フレームに連結されてこの縦フレームから前方に向かって配置される一対のベースフレームとを有するものであって、一対のベースフレームの前後２箇所において、上述の防振取付構造が形成されるように構成されていることを特徴とする。このように構成されたエアコン室外機の壁面置台によれば、エアコン室外機の背面側のような狭い空間しか存在しない場所であって、しかも、高所に設置されるような場合における据付ボルトの締結作業を、ベースフレームの下方からドライバーを操作することにより行うことができるので、作業性が向上する。
【００１４】
また、前記ベースフレームの上壁に形成される前後の取付長孔は、縦フレーム側の取付長孔が前方側の取付長孔より長く形成され、この取付長孔に対向する前記下壁に形成される工具を挿通させるためのサービス孔は、２個に分割されて形成されているものとしてもよい。このように構成すれば、縦フレーム側の取付長孔を長くしているので、ベースフレームの前方側の位置を基準としてエアコン室外機の背面側の位置を調節して取り付けることができる。このように、ベースフレームの前方側の位置を基準として取り付けると、作業性の悪い背面側の位置を前方へ許容範囲内で前方に移動させて、取付作業の改善を行うことも容易化される。また、縦フレーム側の取付長孔に対向するサービス孔を複数個に分割しているので、下壁の強度の劣化を抑制することができる。
【発明の効果】
【００１５】
本発明に係るエアコン置台用ベースフレームにおけるエアコンの防振取付構造によれば、上壁、側壁、及び下壁によりベースフレームを筒状体としているので、材料費を節約しながらベースフレームの強度を保持することができる。また、ベースフレームの下壁には、取付長孔に対向する位置に前記ボルト締結用の工具を挿通させるためのサービス孔が設けられているので、エアコン室外機の本体脚を固定するボルトナットの締結作業を下方からも行うことができる。したがって、作業スペースの環境に応じて上下何れかのやり易い方向から作業を行うことができる。
【発明を実施するための最良の形態】
【００１６】
以下、本発明を具体化した実施の形態に係るエアコン室外機の壁面置台を図面に基づいて説明する。
本実施の形態に係るエアコン室外機の壁面置台は、図１の外観斜視図に示すように、壁面に沿って水平方向に壁面に取り付けられる横フレーム１と、横フレーム１に連結されて壁面に沿って高さ方向に配置される一対の縦フレーム２と、縦フレーム２に連結されてこの縦フレーム２の前方に向かって配置される一対のベースフレーム３とを有している。
【００１７】
横フレーム１は、壁面に対面するように配置される平坦部１１と、この平坦部１１の下方に配置された突出部１２とが一体に成形されている。また、この突出部１２には、縦フレーム２を固定する四角ボルト１３（図１０参照）の頭部を左右方向にスライド自在に収納するレール部１４が形成されている。そして平坦部１１には、この横フレーム１を壁面に固定するためのボルト長孔１５が３ヶ所に形成されている。この横フレーム１は、図８に示すように、コーチボルト１６と座金１７とを用いて壁面に固定されている。
【００１８】
縦フレーム２は、図２（ａ）に示すように、断面形状が例えばＵ字状に形成されるとともに、上部には横フレーム１の突出部１２に係合する切込部２１が形成されている（図１、図１０等参照）。縦フレーム２は、この切込部２１を横フレーム１の突出部１２に係合させた状態で、前述の四角ボルト１３にナット２２を締結して固定している。
【００１９】
ベースフレーム３は、図２（ａ）の外観斜視図における右側面の形状から分かるように、上壁３１、側壁３２及び中央部に彎曲部が形成された下壁３３からなる筒状部材に形成されている。また、図２（ａ）〜（ｃ）に示すように、ベースフレーム３の縦フレーム付近、すなわち基端部３４の側壁は、基端部３４の強度を向上させるために側壁３２の下端を下方に延ばした形状に形成されている。また、ベースフレーム３の縦フレーム２側の基端部３４には、縦フレーム２との連結を行うために、縦フレーム２が上下方向に差し込むことができるように上壁３１及び下壁３３を切り欠いて、側壁３２のみが支持片３５として残されている。この支持片３５には、上下２箇所にボルト孔３６が形成されている。また、この支持片３５間に挿入される縦フレーム２の下端部にも、このボルト孔３６に対応するボルト孔（図示せず）が形成されている。そして、ベースフレーム３は、この支持片３５間に縦フレーム２の下方部を挿入し、上下２箇所のボルト孔３６にボルト３７を挿入し、ナット（図示せず）を締結してベースフレーム３を縦フレーム２の下端部に対し固定している。また、この基端部３４の側壁３２下方には、ドレンホースを左右方向に通過させて固定するためのドレンホース孔３８が形成されている。
【００２０】
また、ベースフレーム３は、基端部３４側と先端側（前方側）との２箇所において、後記構造の防振材５を取り付け、この防振材５を介してエアコン室外機７０の本体脚７１を固定するものである。このためにベースフレーム３の上壁３１には、基端部３４側及び先端側に後記する防振材５の装着用フランジ５２を挿通するためのフランジ挿通孔４１と、このフランジ挿通孔４１に連続して防振材５の首部を貫通させる取付長孔４２、４３が設けられている。基端部３４側の取付長孔４２は先端側の取付長孔４３に比して長く形成されている。また、フランジ挿通孔４１は、各取付長孔４２、４３の中央よりに形成されている。また、ベースフレーム３の下壁３３には、取付長孔４２、４３に対向する位置に据付ボルト締結用の工具を挿通させるためのサービス孔４４、４５が設けられている。サービス孔４４は、対向する取付長孔４２が長いので、二つの長孔４４ａ、４４ｂとから構成されている。
【００２１】
上記のような構成の横フレーム１、縦フレーム２、ベースフレーム３はアルミニウムの押出成形により製造されている。つまり、塊状のアルミニウムを押出成形機に投入し、アルミニウムを軟化させながら、所定断面形状に対応する形状の口金を通して押し出し、所定形状の長さに切断することにより製造する。
【００２２】
なお、ベースフレーム３については、次のような製造方法が採られている。まず、図３（ａ）、（ｂ）に示すように、二つのベースフレーム３の下端同士を連結したような形状の断面構造体を押出成形する。次いで、この成形品を所定長さに切断した構造体３Ｗを製造する。続いて、図３（ａ）に示すＡ線及びＢ線に示す位置でこの構造体３Ｗを上下に分割切断する。この結果、前述の基端部３４側付近では側壁３２の下端までの寸法が大きい形状のベースフレームの基本形状３ａが得られる、なお、前述の支持片３５、ボルト孔３６、フランジ挿通孔４１、取付長孔４２、４３、サービス孔４４、４５、ドレンホース孔３８等は、その後に加工される。
【００２３】
防振材５は、樹脂またはゴムから形成されたものであって、図４の防振材周りの断面図及び図５の単体図面に示すような構造を備えている。防振材５は、ベースフレーム３とエアコン室外機７０の本体脚７１との間に配置される防振絶縁本体５１と、この防振絶縁本体５１との間にベースフレーム３の上壁３１を挟み込むための装着用フランジ５２と、防振絶縁本体５１と装着用フランジ５２とを接続する首部５３とを有している。防振材５は、さらに、防振絶縁本体５１から首部５３を経て装着用フランジ５２に通ずる据付ボルト（この場合トラスボルト５４）を嵌挿させるためのボルト孔５５（図５参照）を有している。
【００２４】
そして、装着用フランジ５２の直径は、前述のフランジ挿通孔４１の直径より小さく形成されている。また、首部５３は、平断面の一方向においては、上壁３１の取付長孔４２、４３の幅寸法と同一又はそれより小さく形成され、平断面の他方向においては、取付長孔４２、４３の幅寸法より大きく形成されている。具体的には、首部５３は、平断面が図５（ａ）に示すように楕円形状に形成されている。その楕円形状の短径Ｓは、取付長孔４２、４３の幅寸法と同一またはそれよりも小さく形成されている。一方、楕円の長径Ｌは、取付長孔４２、４３の幅寸法より大きく形成されている。
【００２５】
このような構成の防振材５は次のようにしてベースフレーム３の上壁３１に取り付けられる。先ず、図６に示すように、防振材５のボルト孔５５に対し装着用フランジ５２側から防振絶縁本体５１に向けて据付ボルトとしてのトラスボルト５４を挿通する。このとき座金５６を装着用フランジ５２側に介在させる。次いで、図６のように、トラスボルト５４を挿通した状態で、装着用フランジ５２をフランジ挿通孔４１に挿通して装着用フランジ５２を上壁３１の下面側に位置させる（図４参照）。続いて、首部５３の短径Ｓを取付長孔４２、４３の幅方向に合わせ（図７（ａ）の状態）、トラスボルト５４の挿通された防振材５を取付長孔４２、４３の所定位置まで移動させる。防振材所定位置に移動させた位置で、図７（ｂ）に示すように、防振材５を９０°回転させる。これにより首部５３の長径Ｌが取付長孔４２、４３の幅方向に向くように強制されるため、弾性力により防振材５がその位置に固定される。
【００２６】
次に、以上のように構成される壁面置台は、次のようにして、壁面に取り付けられる。まず、図８に示すように、コーチボルト１６、座金１７を使って横フレーム１を壁面の所定位置に固定する。次いで、図９に示すように、縦フレーム２の下端部をベースフレーム３の支持片３５で挟んでボルト３７を挿通し、このボルト３７にナットを締結して固定するとともに、前述の要領にしたがって、防振材５をベースフレーム３の上壁３１の所定位置に取り付ける。なお、この状態においては、トラスボルト５４とボルト孔５５との摩擦力により、トラスボルト５４が防振材５から離脱しないようにボルト孔５５に保持される。さらに、縦フレーム２の下端部の後面側に、縦フレーム２の下端部を壁面で支持するためのアジャスター６１を取り付ける。また、ベースフレーム３の先端にはキャップ６２を取り付ける。
【００２７】
続いて、図１０に示すように、横フレーム１におけるレール部１４に四角ボルト１３を挿入して所定位置に保持する。さらに続いて、縦フレーム２の切込部２１を横フレーム１の突出部１２に係合させるとともに、縦フレーム２の上部に設けられたボルト孔２３に四角ボルト１３のねじ部を挿通し、このねじ部にナット２２を締結して、縦フレーム２とベースフレーム３との組立品を横フレーム１に取り付ける。また、図１２に示すように、縦フレーム２下端のアジャスター６１の長さを調整してベースフレーム３が水平よりやや上向きとなるように調整する。
【００２８】
続いて、図１１及び図１２に示すように、エアコン室外機７０をベースフレーム３に載置する。前述の防振材５の位置を再調整しながらエアコン室外機７０の本体脚７１のボルト孔７２にトラスボルト５４のねじ部を挿通させ（図１１参照）、上方からナット５７を締結する。このナット５７の締結は、手でゆるく締める程度にした後、図１１及び図１２に示すように、下方からドライバー７３によりトラスボルト５４を締め付けることにより行うことができる。以上のようにして、本発明に係るエアコン置台用ベースフレームにおけるエアコンの防振取付構造及びこの防振取付構造を用いた壁面置台が構成されている。
【００２９】
以上のような構成を備えたエアコンの防振取付構造及びこの構造を備えた壁面置台では次のような効果を奏することができる。
フランジ挿通孔４１から装着用フランジ５２を上壁３１の下面に接するように挿入して防振材５を取り付けることができる。また、取付長孔４２、４３に防振材５の首部５３をスライドさせて所定位置に移動させることにより、防振材５を所定位置に容易に設置することができる。
【００３０】
また、本発明では、上壁３１の長手方向全長に延びるスリットを設ける必要がないので、この上壁３１、側壁３２、及び下壁３３によりベースフレーム３を筒状体とすることができる。したがって、材料費を節約しながらベースフレーム３の強度を保持することができる。
【００３１】
また、ベースフレーム３の下壁３３には、取付長孔４２、４３に対向する位置に前記ボルト締結用の工具を挿通させるためのサービス孔４４、４５が設けられているので、サービス孔４４、４５から据付ボルト（この場合トラスボルト５４）の締付用工具（この場合ドライバー７３）の先部を挿通させることができる。また、この工具により、エアコン室外機７０の本体脚７１を固定する据付ボルト（トラスボルト５４）にナット５７を締結することができる。したがって、エアコン室外機７０の本体脚７１を固定する据付ボルト（トラスボルト５４）にナット５７を締結する作業は、従来と同様にベースフレーム３の上方から行うことができる他に、下方からも行うことができるので、作業場の環境に応じてやり易い方向から作業を行うことができる。
【００３２】
据付ボルトをトラスボルト５４とし、ベースフレーム３の下壁に形成されるサービス孔４４、４５の幅寸法をプラスねじ用のドライバー７３の先端軸部を挿通できる程度の大きさに形成しているので、ドライバー７３により下方からトラスボルト５４を締結することができる。また、下壁３３に設けるサービス孔４４、４５の幅寸法がドライバー７３の先端軸部を挿通できる程度の大きさとすればよいので、サービス孔４４、４５の幅寸法が小さくなる。これにより、サービス孔４４、４５を設けることによる下壁３３の強度の劣化を低減することができる。
【００３３】
防振材５は、首部５３の短径Ｓを取付長孔４２、４３の幅方向に合わせることにより、取付長孔４２、４３における所定位置に容易に移動させることができる。また、防振材５は、首部５３の長径Ｌを取付長孔４２、４３の幅方向となるように防振材５を回転させることにより、所定位置に防振材５を固定することができる。
【００３４】
また、据付ボルトの締結時においては、据付ボルトとしてのトラスボルト５４が防振材５のボルト孔５５に嵌挿されていることと相俟って、ナット５７を締結する際にトラスボルト５４の空回りを防止することができる。したがって、トラスボルト５４の締結作業は、トラスボルト５４を空回りさせないで締結することができ、作業性が向上する。
【００３５】
また、上壁３１にフランジ挿通孔４１及びこのフランジ挿通孔４１に接続される取付長孔４２、４３を備えるとともに、下壁３３にサービス孔４４、４５を備えたベースフレーム３において、防振材５を取付長孔４２、４３に固定する壁面置台では、エアコン室外機７０の背面側の据付ボルトの締結作業が容易になる。特に、高所に壁面置台を取り付けるような場合には下方から据付ボルトを締結することができるので、作業性が向上する。
【００３６】
また、この場合において、ベースフレーム３の上壁３１における基端部３４側（縦フレーム側）の取付長孔４２を長くしているので、ベースフレーム３の前方側の位置を基準としてエアコン室外機７０の背面側の位置を調節して取り付けることができる。このように、ベースフレーム３の前方側の位置を基準として取り付けると、作業性の悪い背面側の位置を前方へ許容範囲内で前方に移動させて、取付作業の改善を行うことも容易化される。また、基端部３４側の取付長孔４２に対向するサービス孔４４を複数個４４ａ、４４ｂに分割しているので、下壁３３の強度の劣化を抑制することができる。
【００３７】
以上説明した本実施の形態に係るエアコン置台用ベースフレームにおけるエアコンの防振取付構造は、一例を示すものであり、本発明の範囲内において適宜変更できるものである。例えば、次のように変形することができる。
【００３８】
（１）前記実施の形態は、壁面置台に適用される例のみを示したが、本発明に係るエアコン置台用ベースフレームにおけるエアコンの防振取付構造は、他形式の置台に適用することもできる。例えば、上階のベランダの下方に吊下げる天井吊置台においては、ベースフレームの両端部に吊フレームがあるとともに、高所での作業となるため、ベースフレームの上方において、スパナなどのナット締結用工具を使用することが難しい場合がある。しかし、本発明のように上下何れの方向からでも締め付け可能とすることにより、作業性を向上させることができる。
【００３９】
（２）ベースフレーム３を構成する筒状フレームは、上壁３１、側壁３２及び下壁３３により筒状部材に形成されたものであればよく、この筒状部材の内部に、例えば水平方向の中間仕切壁を設けたものや、上壁３１の下面に垂直方向の縦リブを設けたものとしてもよい。しかし、何れの形態であっても下方から据付ボルトを締め付けることができるような、締結用工具を挿通させるためのサービス孔４４、４５が設けられていることが必要である。
【００４０】
（３）防振材５は、取付長孔４２、４３と首部５３との摩擦力により、回り止めされる構造のものであればよく、前述のような楕円形状に限定されない。例えば、首部５３は楕円形に代わり長円形のものでもよい。
【００４１】
（４）防振材５を介してエアコン室外機７０を固定する据付ボルトとして、前記実施の形態においてはトラスボルト５４が使用されているが、十字穴付六角ボルトなど他のボルトを使用することもできる。
【００４２】
（５）前記実施の形態においては、ベースフレーム３の上壁３１における取付長孔４２、４３は、基端部３４側の取付長孔４２を先端側の取付長孔４３に比して長くしているが、これに限定されるものではなく、同じ長さにしてもよい。また、前述の実施の形態においては、基端部３４側の取付長孔４２に対応するサービス孔４４を２個の長孔４４ａ、４４ｂで形成しているが、これらを連結して１個とすることも可能である。また、他形式の置台においては、例えば前述の天井吊置台では、両端部側に分かれて設けられる取付長孔４２、４３間及びサービス孔４４、４５間に差を設ける必要はない。
【産業上の利用可能性】
【００４３】
本発明に係るエアコン置台用ベースフレームにおけるエアコンの防振取付構造は、壁面置台としての利用が典型例であるが、天井吊置台などの他の置台にも使用することができる。また、これら置台は、家庭用、業務用を問わない。
【図面の簡単な説明】
【００４４】
【図１】本発明の実施の形態に係るエアコン室外機の壁面置台の組立斜視図である。
【図２】同壁面置台におけるベースフレームの図面であって、（ａ）は斜視図であり、（ｂ）は長手方向に切断した断面図であり、（ｃ）は底面図である。
【図３】同ベースフレームを２個一組として製造する押出成形方法の説明図であって、（ａ）は分割切断前の側面図であり、（ｂ）は分割切断前の断面図である。
【図４】防振材周りの断面図ある。
【図５】防振材の図面であって、（ａ）は装着用フランジ側から見た図面であり、（ｂ）は側面図である。
【図６】防振材に据付ボルトを装着した状態図である。
【図７】防振材の取付説明図であり、（ａ）は取付長孔をスライドさせるときの状態図であり、（ｂ）は所定位置に固定した状態図である。
【図８】本発明にかかる壁面置台の取り付け説明図であって、横フレームの取付工程図である。
【図９】本発明にかかる壁面置台の取り付け説明図であって、縦フレームとベースフレームとの組立品製作工程図である。
【図１０】同組立品を横フレームに取り付ける工程図である。
【図１１】同壁面置台にエアコン室外機を載置する工程図であって、前部の本体脚取付要領図である。
【図１２】同壁面置台にエアコン室外機を載置する工程図であって、後部の本体脚取付要領図である。
【図１３】従来のエアコンの防振取付構造を適用した壁面置台の組立斜視図である。
【図１４】同壁面置台におけるベースフレームの図面であって、（ａ）は斜視図であり、（ｂ）は長手方向に切断した断面図であり、（ｃ）は底面図である。
【図１５】同壁面置台における防振材周りの断面図ある。
【図１６】同壁面置台にエアコン室外機を載置する工程図であって、前部の本体脚取付要領図である。
【図１７】同壁面置台にエアコン室外機を載置する工程図であって、後部の本体脚取付要領図である。
【符号の説明】
【００４５】
１  横フレーム、２  縦フレーム、３  ベースフレーム、５  防振材、３１  上壁、３２  側壁、３３  下壁、４１  フランジ挿通孔、４２  取付長孔、４３  取付長孔、４４、４５  サービス孔、５１  防振絶縁本体、５２  装着用フランジ、５３  首部、５４  （据付ボルトとしての）トラスボルト、５５  ボルト孔、５７  ナット、７０  エアコン室外機、７１  本体脚、７３  （プラスねじ用の）ドライバー。
【図１】
2007120835.tif 000003
【図２】
2007120835.tif 000004
【図３】
2007120835.tif 000005
【図４】
2007120835.tif 000006
【図５】
2007120835.tif 000007
【図６】
2007120835.tif 000008
【図７】
2007120835.tif 000009
【図８】
2007120835.tif 000010
【図９】
2007120835.tif 000011
【図１０】
2007120835.tif 000012
【図１１】
2007120835.tif 000013
【図１２】
2007120835.tif 000014
【図１３】
2007120835.tif 000015
【図１４】
2007120835.tif 000016
【図１５】
2007120835.tif 000017
【図１６】
2007120835.tif 000018
【図１７】
2007120835.tif 000019